(57)【要約】【課題】発光表示される文字や図形等に表れる隔壁の影の厚さを容易に調節することができるドットマトリクス表示器を提供する。【解決手段】ＬＥＤ１５１・１５１・・・と、ＬＥＤ１５１・１５１・・・を等間隔に区画する隔壁１４０ａと、隔壁１４０ａの開放側に配置される光拡散層と、を具備するドットマトリクス表示器１００であって、隔壁１４０ａの開放側端から前記光拡散層までの距離ｈが、ＬＥＤ１５１から隔壁１４０ａまでの距離ａ、前記平面から隔壁１４０ａの開放側端までの距離と前記平面からＬＥＤ１５１の開放側端までの距離との差ｂ、隔壁１４０ａの厚さｗ、ならびにＬＥＤ１５１の開放側端および隔壁１４０ａを最短で結ぶ直線とＬＥＤ１５１の開放側端および隔壁１４０ａの開放側端を最短で結ぶ直線とがなす角θに基づいて０＜ｈ＜（ａ＋ｗ／２）ｔａｎθ―ｂに示す関係を満たすように、隔壁１４０ａと前記光拡散層とが離隔して配置される。【選択図】図７
2012034849.tif 000002
【特許請求の範囲】
【請求項１】
同一平面上に等間隔に配列される複数の光源と、
前記複数の光源を等間隔に区画するとともに、前記平面と垂直な方向に開放部を有する隔壁と、
前記隔壁の開放側に配置され、前記光源からの光を拡散透過する光拡散層と、
を具備し、前記光拡散層を拡散透過した光により発光表示するドットマトリクス表示器であって、
前記隔壁の開放側端から前記光拡散層までの距離ｈが、
前記光源から前記隔壁までの距離ａ、前記平面から前記隔壁の開放側端までの距離と前記平面から前記光源の開放側端までの距離との差ｂ、前記隔壁の厚さｗ、ならびに前記光源の開放側端および前記隔壁を最短で結ぶ直線と前記光源の開放側端および前記隔壁の開放側端を最短で結ぶ直線とがなす角θに基づいて以下の数１に示す関係を満たすように、前記隔壁と前記光拡散層とが離隔して配置される、
ドットマトリクス表示器。
（数１）
０＜ｈ＜（ａ＋ｗ／２）ｔａｎθ―ｂ
【請求項２】
前記隔壁と前記光拡散層との間に配置され、透光性を有する厚さｈの透光板を具備する、
請求項１に記載のドットマトリクス表示器。
【請求項３】
前記隔壁の開放側端面の明度は、前記隔壁の前記光源と対向する面の明度よりも低く設定される、
請求項１または請求項２に記載のドットマトリクス表示器。
【発明の詳細な説明】
【技術分野】
【０００１】
本発明は、隔壁によって区画された複数の光源のうち、任意に選択された光源のみを点灯させることによって文字や図形等を表示させるドットマトリクス表示器の技術に関する。
【背景技術】
【０００２】
従来、隔壁によって区画された複数の光源のうち、任意に選択された光源のみを点灯させることによって文字や図形等を表示させるドットマトリクス表示器の技術が公知となっている。
【０００３】
ドットマトリクス表示器の一例として、パチンコ機などの遊技機に備えられ、等間隔に配列される複数の光源と、複数の光源を等間隔に区画する格子状の隔壁と、当該隔壁の一側に設けられる表示面と、を具備するものがある。
【０００４】
このような構成において、所望の光源を点灯させると、当該光源からの光が表示面に照射される。点灯させる光源を任意に選択することで、表示面に図柄、数字、文字等を表示させることができる。当該光は前方の遊技者から表示面を介して視認され、当該遊技者に印象（インパクト）を与えることができる。
【０００５】
上述の如く構成されたドットマトリクス表示器においては、隣り合う光源同士を区画する隔壁の影が表示面に表れる。この隔壁の影の幅（厚さ）が広すぎたり狭すぎたりすると、遊技者から視認した際の美観を損ねる場合がある。よって、表示面に表示される隔壁の影の厚さを任意に調節することが望ましい。
【０００６】
例えば、上記隔壁の影の厚さを薄く調節する方法としては、隔壁自体の厚さを薄くする方法が考えられる。しかし、通常、隔壁は型を用いて成形されるが、型抜きの容易性や成形精度を考慮すると、当該隔壁を薄くするには限界がある。そこで、その他の方法として、特許文献１に記載の技術が公知となっている。
【０００７】
特許文献１に記載のドットマトリクス表示器においては、表示面に各光源に対応するレンズを配置することで、光源からの光を拡大させ、遊技者側から見た隔壁の影の厚さを薄く調節することができる。
【先行技術文献】
【特許文献】
【０００８】
【特許文献１】特開平７−５１４５０号公報
【発明の概要】
【発明が解決しようとする課題】
【０００９】
しかしながら、特許文献１に記載のドットマトリクス表示器においては、レンズを設けることがコストの増加を招く場合があるとともに、光源とレンズとの位置決めに高い精度が要求されるため、組み付け作業が煩雑になる場合があり、ひいては隔壁の影の厚さの調節が困難になる場合がある。
【００１０】
本発明は上記のような問題点に鑑みてなされたものであり、その解決しようとする課題は、発光表示される文字や図形等に表れる隔壁の影の厚さを容易に調節することができるドットマトリクス表示器を提供することである。
【課題を解決するための手段】
【００１１】
本発明の解決しようとする課題は以上の如くであり、次にこの課題を解決するための手段を説明する。
【００１２】
即ち、請求項１においては、同一平面上に等間隔に配列される複数の光源と、前記複数の光源を等間隔に区画するとともに、前記平面と垂直な方向に開放部を有する隔壁と、前記隔壁の開放側に配置され、前記光源からの光を拡散透過する光拡散層と、を具備し、前記光拡散層を拡散透過した光により発光表示するドットマトリクス表示器であって、前記隔壁の開放側端から前記光拡散層までの距離ｈが、前記光源から前記隔壁までの距離ａ、前記平面から前記隔壁の開放側端までの距離と前記平面から前記光源の開放側端までの距離との差ｂ、前記隔壁の厚さｗ、ならびに前記光源の開放側端および前記隔壁を最短で結ぶ直線と前記光源の開放側端および前記隔壁の開放側端を最短で結ぶ直線とがなす角θに基づいて以下の数１に示す関係を満たすように、前記隔壁と前記光拡散層とが離隔して配置されるものである。
（数１）
０＜ｈ＜（ａ＋ｗ／２）ｔａｎθ―ｂ
【００１３】
請求項２においては、前記隔壁と前記光拡散層との間に配置され、透光性を有する厚さｈの透光板を具備するものである。
【００１４】
請求項３においては、前記隔壁の開放側端面の明度は、前記隔壁の前記光源と対向する面の明度よりも低く設定されるものである。
【発明の効果】
【００１５】
本発明の効果として、以下に示すような効果を奏する。
【００１６】
請求項１においては、距離ｈを数１の範囲で調節することで、発光表示される文字や図形等に表れる隔壁の影の厚さを所望の厚さに容易に調節することができる。また、複雑な位置決めが不要であり、組み付け作業を容易に行うことができる。
【００１７】
請求項２においては、隔壁と光拡散層との距離を、容易にｈに調節することができる。したがって、複雑な調節が不要であり、組み付け作業を容易に行うことができる。
【００１８】
請求項３においては、表示側から本発明のドットマトリクス表示器を見た場合に、隔壁の形状が視認し難くなる。
【図面の簡単な説明】
【００１９】
【図１】本発明の一実施形態に係るドットマトリクス表示器を備える遊技機の全体的な構成を示す正面図。
【図２】遊技盤およびドットマトリクス表示器を示す正面図。
【図３】（ａ）ドットマトリクス表示器を示す正面図。（ｂ）（ａ）におけるＡ−Ａ断面を示す底面断面図。
【図４】ドットマトリクス表示器を示す分解斜視図。
【図５】区画板およびＬＥＤ基板を示す分解斜視図。
【図６】（ａ）隔壁とＬＥＤとの位置関係を示す正面図。（ｂ）区画板とＬＥＤ基板との位置関係を示す分解斜視図。
【図７】図３（ａ）におけるＡ−Ａ断面を示す底面断面拡大図。
【図８】（ａ）ｈ＝０の場合の表示面を示す正面図。（ｂ）同じく、ドットマトリクス表示器の底面断面図。
【図９】（ａ）ｈ＝ｈｍａｘの場合の表示面を示す正面図。（ｂ）同じく、ドットマトリクス表示器の底面断面図。
【図１０】（ａ）隔壁の他の実施形態を示す正面図。（ｂ）同じく、隔壁の他の実施形態を示す正面図。（ｃ）同じく、隔壁の他の実施形態を示す正面図。
【発明を実施するための形態】
【００２０】
まず、本発明の一実施形態に係るドットマトリクス表示器１００を備える遊技機１の全体構成について、図１を用いて説明する。
なお、以下の説明において、遊技機１を遊技者から見て、手前側を遊技機１の前側とし、奥側を遊技機１の後側として、遊技機１の前後方向を規定する。また、遊技機１を遊技者から見て、左手側を遊技機１の左側とし、右手側を遊技機１の右側として、遊技機１の左右方向を規定する。
【００２１】
遊技機１には、機体の外郭を成す外枠１０が設けられる。外枠１０は、前後面が開口される略四角筒状の枠体である。外枠１０は、パチンコホール等の遊技場に設けられる台島に設置される。外枠１０の前側の開口部には、略四角形状の枠体である中枠２０が、ヒンジ等の軸支部材を介して回動可能に支持される。中枠２０には、遊技領域５８が形成される遊技盤５０が着脱自在に取り付けられる（図２参照）。また、中枠２０には、略平板状の枠体である窓枠３０と、下皿ユニット４０とが、ヒンジ等の軸支部材を介してそれぞれ回動可能に支持される。
【００２２】
窓枠３０の略中央には、正面視で略円形状の窓枠開口部３１が開口される。窓枠開口部３１には、透明板３４が被覆されて、中枠２０に支持された遊技盤５０の遊技領域５８を前方から視認することができる。また、窓枠３０の窓枠開口部３１の下方には、発射前の遊技球が貯溜される上皿３２が配設される。また、窓枠３０の窓枠開口部３１の左右上方には、スピーカ３３がそれぞれ配設される。
【００２３】
下皿ユニット４０は、窓枠３０の下方に配置される。下皿ユニット４０の略中央には、上皿３２から溢れた遊技球が貯溜される下皿４１が配設される。また、下皿ユニット４０の右側部には、図示せぬ遊技球発射装置に連結され、上皿３２に貯溜された遊技球を遊技領域５８へ向けて発射可能に構成される発射ハンドル４２が配設される。
【００２４】
次に、遊技盤５０の構成について、図２を用いてさらに詳細に説明する。
【００２５】
遊技盤５０は、基体５１と、ドットマトリクス表示器１００と、ガイドレール５３と、一般入賞口５４と、大入賞装置５５と、可変入賞装置５６と、アウト口５７とを備える。
【００２６】
基体５１は、遊技盤５０の主たる構造体を成す部材である。基体５１は、略平板状の部材であり、遊技盤５０の各構成部材が取り付けられる。基体５１の略中央には、ドットマトリクス表示器１００を取り付けるための図柄表示開口部６１が正面視で略矩形状に開口される。
【００２７】
後に詳述するドットマトリクス表示器１００は、図柄や数字を変動表示する表示面１２０を備える装置である。ドットマトリクス表示器１００は、表示面１２０を前方へ向けた状態で、基体５１の後面側に取り付けられる。表示面１２０は、図柄表示開口部６１を通じて前方を臨むように配置され、基体５１の前方から視認可能となっている。また、表示面１２０は、基体５１の前面よりも若干後方に配置されて基体５１の前面との間に役物が配設される隙間が形成される。
【００２８】
ガイドレール５３は、外ガイドレール６３ａと、内ガイドレール６３ｂとを備える。
外ガイドレール６３ａおよび内ガイドレール６３ｂは、正面視で略円弧状に形成される金属製の帯状の部材である。外ガイドレール６３ａは、基体５１の左側および上側の外周を周回するように配置される。内ガイドレール６３ｂは、外ガイドレール６３ａよりも基体５１の内側であって、基体５１の左側および下側の外周を周回するように配置される。外ガイドレール６３ａおよび内ガイドレール６３ｂは、短手方向を前後方向として基体５１の前面側から前方へ突出される。
なお、基体５１の略中央の外ガイドレール６３ａと内ガイドレール６３ｂとにより略円形状に区画形成された領域が、遊技球が転動する領域である遊技領域５８とされる。また、基体５１の左側部の外ガイドレール６３ａと内ガイドレール６３ｂとの間に略円弧形状に区画形成された領域が、前記遊技球発射装置により発射された遊技球が通過する領域である発射通路５９とされる。そして、発射ハンドル４２の回動操作に応じて、遊技球が発射通路５９を通過して遊技領域５８へ放出されることとなる。
【００２９】
一般入賞口５４は、上面が開口するポケット状に形成され、遊技球を入賞可能とする部材である。一般入賞口５４に遊技球が入賞すると、図示せぬ賞球払出装置によって所定数の賞球（遊技球）が払い出される。一般入賞口５４は、基体５１における遊技領域５８の下部に複数個が配置される。
【００３０】
大入賞装置５５は、大当たり抽選により大当たりが選択されると、大入賞口６５を開放して遊技球を入賞可能とする装置である。大入賞口６５に遊技球が入賞すると、前記賞球払出装置によって所定数の賞球（遊技球）が払い出される。大入賞装置５５は、基体５１における遊技領域５８の中央下部に配置される。
【００３１】
可変入賞装置５６は、所定の作動条件を満たすと、左右一対の可動片の動作に応じて、遊技球が入賞可能な開放状態または入賞不能な閉鎖状態に切り替える装置である。可変入賞装置５６に遊技球が入賞すると、前記賞球払出装置によって所定数の賞球（遊技球）が払い出されると共に、図示せぬ抽選装置によって大当たり抽選が開始される。可変入賞装置５６は、基体５１の遊技領域５８の略中央であって、大入賞装置５５の上方に配置される。
【００３２】
アウト口５７は、発射通路５９を通過して遊技領域５８へ放出された遊技球が、一般入賞口５４や大入賞口６５等の各入賞口に入賞しなかった場合に、最終的に流入する開口部である。アウト口５７に流入した遊技球は、パチンコホール等の遊技場側に回収される。アウト口５７は、基体５１における遊技領域５８の最下部に配置される。
【００３３】
次に、ドットマトリクス表示器１００について、図２から図６を用いて説明する。
【００３４】
図２から図４に示すドットマトリクス表示器１００は、所定の場合に図柄、数字、文字等を表示して遊技者に視覚的な印象（インパクト）を与えるためのものである。具体的には、ドットマトリクス表示器１００は、枠体１１０と、スモーク板１２１と、光拡散シート１２２と、透光板１３０と、区画板１４０と、ＬＥＤ基板１５０とにより構成される。
【００３５】
図３および図４に示す枠体１１０は、前面に模様が施された略矩形板状の部材である。枠体１１０の中央には、当該枠体１１０を前後方向に貫通する矩形状の開口部１１０ａが形成される。枠体１１０の後面には、後述するスモーク板１２１、光拡散シート１２２、透光板１３０、および区画板１４０を嵌合させて支持するための枠状の支持部１１０ｂが設けられる。
【００３６】
スモーク板１２１は、透光性を有する矩形板状の部材である。スモーク板１２１は、例えばアクリルやポリカーボネート等の透光性を有する材料からなり、着色等により光の透過率が所定値となるように設定される。本実施形態に係るスモーク板１２１は緑色に着色され、所定の光透過率を有するものとする。なお、スモーク板１２１の前面（遊技者側の面）は開口部１１０ａを介して遊技者側に露出して、表示面１２０となっている。
【００３７】
光拡散シート１２２は、照射される光を均一に拡散させつつ透過させるためのものである。光拡散シート１２２は、矩形シート状に形成される。なお、光拡散シート１２２は、本発明における「光拡散層」の一態様である。
【００３８】
透光板１３０は、透光性を有する矩形板状の部材である。透光板１３０は、例えばアクリルやポリカーボネート等の透光性を有する材料からなる。本実施形態に係る透光板１３０は無色透明であり、高い光透過率を有するものとする。また、本実施形態に係る透光板１３０は、その厚さが後述するｈとなるように形成される。
【００３９】
図３から図６に示す区画板１４０は、略矩形板状の部材である。図５および図６に示すように、区画板１４０には格子状の隔壁１４０ａが形成される。詳細には、隔壁１４０ａは、所定厚さを有し、長手方向を左右方向として上下方向に所定間隔おきに形成される複数の板、および、前記所定厚さを有し、長手方向を上下方向として左右方向に前記所定間隔おきに形成される複数の板を格子状に組み合わせて構成される。このように構成される隔壁１４０ａによって、正方形断面を有し、区画板１４０を前後方向に貫通する多数の開放部１４０ｂ・１４０ｂ・・・が、上下左右に等間隔に形成される。
【００４０】
図３から図６に示すＬＥＤ基板１５０は、略矩形板状に形成される。ＬＥＤ基板１５０の前面（すなわち、同一平面上）には、光源としての多数の発光ダイオード（以下、単に「ＬＥＤ」と記す）１５１・１５１・・・が配設される。ＬＥＤ１５１・１５１・・・は、上下左右に等間隔に配置される。より詳細には、ＬＥＤ１５１・１５１・・・は、隣り合うＬＥＤ１５１・１５１の中心間の距離が、区画板１４０の隣り合う開放部１４０ｂ・１４０ｂの中心間の距離と同一距離となるように配置される。つまり、ＬＥＤ１５１・１５１・・・は、開放部１４０ｂ・１４０ｂ・・・の形成位置に対応して配置されている。
【００４１】
図４に示すスモーク板１２１、光拡散シート１２２、透光板１３０、区画板１４０、およびＬＥＤ基板１５０は、前方からこの順に配置される。スモーク板１２１、光拡散シート１２２、および透光板１３０は枠体１１０の支持部１１０ｂに嵌合され、ＬＥＤ基板１５０は区画板１４０の後方から枠体１１０に固定される。
【００４２】
この際、ＬＥＤ１５１・１５１・・・が、正面視（図６（ａ）参照）において区画板１４０の開放部１４０ｂ・１４０ｂ・・・の中心にそれぞれ位置するように、区画板１４０とＬＥＤ基板１５０とが位置決めされる。また、区画板１４０とＬＥＤ基板１５０とは平行に配置されるため、区画板１４０の開放部１４０ｂ・１４０ｂ・・・はＬＥＤ基板１５０に対して垂直に配置される。すなわち、開放部１４０ｂ・１４０ｂ・・・を構成する内壁面１４０ｃはＬＥＤ基板１５０に対して垂直となっている。
【００４３】
また、開放部１４０ｂの後側はＬＥＤ基板１５０によって閉塞されている。このため、ＬＥＤ１５１が点灯した場合、当該ＬＥＤ１５１からの光は、開放されている開放部１４０ｂの前方へと照射される。以下では、前側を「開放側」と定義して説明を行う。
【００４４】
上述の如く構成されたドットマトリクス表示器１００（図７参照）において、所望のＬＥＤ１５１を点灯させると、当該ＬＥＤ１５１からの光は透光板１３０を透過して光拡散シート１２２に照射される。当該光は、光拡散シート１２２によって、当該光拡散シート１２２に照射された光の照射範囲内で均一に拡散される。当該拡散された光は、スモーク板１２１に照射され、表示面１２０に発光表示されることにより、当該表示面１２０を介して前方の遊技者から視認される。上述の点灯させるＬＥＤ１５１を任意に選択することで、表示面１２０に図柄、数字、文字等を表示させることができる。
【００４５】
次に、区画板１４０と光拡散シート１２２との位置関係について、図７から図９を用いて詳細に説明する。
【００４６】
図７に示すように、以下では、ＬＥＤ１５１から隔壁１４０ａまでの距離、より詳細には、ＬＥＤ１５１から当該ＬＥＤ１５１が配置される開放部１４０ｂの内壁面１４０ｃまでの距離をａと定義する。
また、ＬＥＤ基板１５０の前面から隔壁１４０ａの開放側端までの距離とＬＥＤ基板１５０の前面からＬＥＤ１５１の開放側端までの距離との差をｂと定義する。
また、隔壁１４０ａの厚さをｗと定義する。
また、ＬＥＤ１５１の開放側端および隔壁１４０ａを最短で結ぶ直線とＬＥＤ１５１の開放側端および隔壁１４０ａの開放側端を最短で結ぶ直線とがなす角をθと定義する。
また、隔壁１４０ａの開放側端から光拡散シート１２２の後面までの距離をｈと定義する。
【００４７】
例えば、図８（ｂ）に示すように、ｈ＝０である場合、表示面１２０に表示される隣り合うＬＥＤ１５１・１５１の光の間には、隔壁１４０ａの影（図８（ａ）の斜線部分）が表示される。この際の影の厚さは、隔壁１４０ａの厚さｗと略同一である。なお、この場合は透光板１３０は設けない。
【００４８】
一方、図７に示すように、ＬＥＤ１５１の開放側端および隔壁１４０ａの開放側端を最短で結ぶ直線Ｌ１と、当該ＬＥＤ１５１と隣り合うＬＥＤ１５１の開放側端および隔壁１４０ａの開放側端を最短で結ぶ直線Ｌ２と、が交わる点Ｐから、隔壁１４０ａの開放側端までの距離をｈｍａｘと定義する。
【００４９】
すると、図９（ｂ）に示すように、ｈ＝ｈｍａｘである場合、またはｈがｈｍａｘより大きい場合、表示面１２０に表示される隣り合うＬＥＤ１５１・１５１の光の間に隔壁１４０ａの影が表示されることはない（図９（ａ）参照）。
【００５０】
したがって、ｈを以下の数２に示す関係式を満たす値、すなわち０からｈｍａｘまでの値で任意に設定することにより、表示面１２０に隔壁１４０ａの影を表示させつつ、当該影の厚さを所望の厚さに調節することができる。
【００５１】
（数２）
０＜ｈ＜ｈｍａｘ
【００５２】
ここで、ｔａｎθは以下の数３に示す関係式で表される。
【００５３】
（数３）
ｔａｎθ＝（ｂ＋ｈｍａｘ）／（ａ＋ｗ／２）
【００５４】
したがって、ｈｍａｘは以下の数４に示す関係式で算出される。
【００５５】
（数４）
ｈｍａｘ＝（ａ＋ｗ／２）ｔａｎθ―ｂ
【００５６】
上記数４を上記数２に代入すると、以下の数５に示す関係式が得られる。
【００５７】
（数５）
０＜ｈ＜（ａ＋ｗ／２）ｔａｎθ―ｂ
【００５８】
すなわち、上記数５に示す関係式を満たす範囲内で任意に隔壁１４０ａと表示面１２０（光拡散シート１２２）とを離隔して配置することで、表示面１２０に隔壁１４０ａの影を表示させつつ、当該影の厚さを所望の厚さに調節することができる。
【００５９】
また、本実施形態においては、隔壁１４０ａと表示面１２０（光拡散シート１２２）との間に厚さｈの透光板１３０を配置している（図７参照）。このように、隔壁１４０ａと表示面１２０との間に厚さｈの透光板１３０を挟持することで、隔壁１４０ａと表示面１２０との距離を容易にｈに調節することができる。
【００６０】
次に、区画板１４０の配色について、図６を用いて説明する。
【００６１】
図６に示す区画板１４０は黒色の樹脂製の部材であり、通常は型を用いて射出成形等により製造される。本実施形態に係る隔壁１４０ａのうち、開放部１４０ｂ・１４０ｂ・・・を構成する内壁面１４０ｃ、すなわち、ドットマトリクス表示器１００として組み立てた際にＬＥＤ１５１・１５１・・・と対向する面１４０ｃは、白色に塗装される。また、隔壁１４０ａのうち、開放側の端面１４０ｄ、すなわち、ドットマトリクス表示器１００として組み立てた際に表示部１２０と対向する面１４０ｄは、塗装されることなく材料の黒色がそのまま残される（図６の斜線部分）。
【００６２】
このように構成することにより、前方からドットマトリクス表示器１００を見る場合、表示面１２０（詳細には、緑色のスモーク板１２１）を介して黒色の隔壁１４０ａが視認し難くなる。したがって、ドットマトリクス表示器１００の美観を向上させることができる。
【００６３】
また、遊技者は、ＬＥＤ１５１・１５１・・・が点灯していない場合に隔壁１４０ａの形状が把握し難いため、ＬＥＤ１５１・１５１・・・が点灯した場合の表示面１２０の光り方を予測し難い。これによって、ＬＥＤ１５１・１５１・・・が点灯した場合に、ドットマトリクス表示器１００が遊技者に与える印象を強くすることができる。
【００６４】
また、隔壁１４０ａのうちＬＥＤ１５１・１５１・・・と対向する面１４０ｃは白色に塗装されているため、ＬＥＤ１５１・１５１・・・からの光が当該面１４０ｃによって反射され易い。したがって、表示面１２０に照射される光が減衰するのを防止することができ、ひいては表示面１２０を介して見ることができるＬＥＤ１５１・１５１・・・の光を明るくすることができる。
【００６５】
また、黒色の材料を用いて区画板１４０を形成しているため、ＬＥＤ１５１の光が隔壁１４０ａを透過し難い。すなわち、ＬＥＤ１５１の光が、当該ＬＥＤ１５１が配置される開放部１４０ｂと隣り合う開放部１４０ｂへと透過し難い。これによって、表示部１２０を介して視認した場合に、ＬＥＤ１５１が点灯している開放部１４０ｂと点灯していない開放部１４０ｂとのメリハリをつけることができる。
【００６６】
なお、ＬＥＤ１５１・１５１・・・と対向する面１４０ｃは白色に限らず、ＬＥＤ１５１・１５１・・・の光を反射し易い比較的明度の高い色にすることも可能である。
また、表示部１２０と対向する面１４０ｄは黒色に限らず、表示面１２０を介して視認し難い比較的明度の低い色にすることも可能である。少なくとも、表示部１２０と対向する面１４０ｄの明度は、ＬＥＤ１５１・１５１・・・と対向する面１４０ｃの明度よりも低く設定される。
また、表示部１２０と対向する面１４０ｄは黒色に限らず、表示面１２０の色（詳細には、スモーク板１２１の色）に合わせて、表示面１２０を介して視認し難い色にすることも可能である。
【００６７】
以上の如く、本実施形態に係るドットマトリクス表示器１００は、
同一平面上に等間隔に配列される複数のＬＥＤ１５１・１５１・・・（光源）と、
複数のＬＥＤ１５１・１５１・・・を等間隔に区画するとともに、前記平面と垂直な方向に開放部１４０ｂ・１４０ｂ・・・を有する隔壁１４０ａと、
隔壁１４０ａの開放側（前側）に配置され、ＬＥＤ１５１・１５１・・・からの光を拡散透過する光拡散シート１２２と、
を具備し、光拡散シート１２２を拡散透過した光により発光表示するドットマトリクス表示器１００であって、
隔壁１４０ａの開放側端から光拡散シート１２２までの距離ｈが、
ＬＥＤ１５１から隔壁１４０ａまでの距離ａ、前記平面から隔壁１４０ａの開放側端までの距離と前記平面からＬＥＤ１５１の開放側端までの距離との差ｂ、隔壁１４０ａの厚さｗ、ならびにＬＥＤ１５１の開放側端および隔壁１４０ａを最短で結ぶ直線とＬＥＤ１５１の開放側端および隔壁１４０ａの開放側端を最短で結ぶ直線とがなす角θに基づいて上記数５に示す関係を満たすように、隔壁１４０ａと光拡散シート１２２とが離隔して配置されるものである。
このように構成することにより、発光表示される文字や図形等に表れる隔壁１４０ａの影の厚さを、隔壁１４０ａの厚さよりも薄くすることができる。また、距離ｈを上記数５の範囲で調節することで、発光表示される文字や図形等に表れる隔壁１４０ａの影の厚さを所望の厚さに容易に調節することができる。また、複雑な位置決めが不要であり、組み付け作業を容易に行うことができる。また、レンズのような複雑な形状の部材が不要であり、コストの削減を図ることができる。また、隔壁１４０ａ自体の厚さを薄くする必要がないため、隔壁１４０ａ（区画板１４０）の製造が困難になることがない。
【００６８】
また、本実施形態に係るドットマトリクス表示器１００は、
隔壁１４０ａと光拡散シート１２２との間に配置され、透光性を有する厚さｈの透光板１３０を具備するものである。
このように構成することにより、隔壁１４０ａと光拡散シート１２２との距離を、容易にｈに調節することができる。したがって、複雑な調節が不要であり、組み付け作業を容易に行うことができる。
【００６９】
また、隔壁１４０ａの開放側端面１４０ｄの明度は、隔壁１４０ａのＬＥＤ１５１と対向する面１４０ｃの明度よりも低く設定されるものである。
このように構成することにより、表示側（遊技者側）からドットマトリクス表示器１００を見た場合に、隔壁１４０ａの形状が視認し難くなる。したがって、ドットマトリクス表示器１００の美観を向上させることができるとともに、ＬＥＤ１５１・１５１・・・が点灯する範囲を予測し難くすることができる。
【００７０】
なお、光源としては、ＬＥＤ１５１以外の光を放射することが可能な機器を用いることが可能である。
また、光拡散層としては、光拡散シート１２２により構成されるものに限らず、ＬＥＤ１５１からの光を拡散透過させることができるものであれば良い。例えば、光拡散シート１２２を設ける替わりに、スモーク板１２１のＬＥＤ１５１側の面にシボなどを形成して粗面加工を施し、当該粗面加工した面を本発明の光拡散層としてもよい。
【００７１】
また、隔壁としては、正面視（図１０（ａ）参照）において頂点を上下左右にそれぞれ向けた正方形の開放部２４０ｂ・２４０ｂ・・・を形成する隔壁２４０ａ、正面視（図１０（ｂ）参照）において正三角形の開放部３４０ｂ・３４０ｂ・・・を形成する隔壁３４０ａ、正面視（図１０（ｃ）参照）において正六角形の開放部４４０ｂ・４４０ｂ・・・を形成する隔壁４４０ａ等を用いることが可能である。
【符号の説明】
【００７２】
１：遊技機，１００：ドットマトリクス表示器，１２０：表示面，１２１：スモーク板，１２２：光拡散シート（光拡散層），１３０：透光板，１４０：区画板，１４０ａ：隔壁，１４０ｂ：開放部，１５０：ＬＥＤ基板，１５１：発光ダイオード（ＬＥＤ）（光源）
【図１】
2012034849.tif 000003
【図２】
2012034849.tif 000004
【図３】
2012034849.tif 000005
【図４】
2012034849.tif 000006
【図５】
2012034849.tif 000007
【図６】
2012034849.tif 000008
【図７】
2012034849.tif 000009
【図８】
2012034849.tif 000010
【図９】
2012034849.tif 000011
【図１０】
2012034849.tif 000012